(57)【要約】      （修正有）【課題】省スペース化を実現することができる磁気共鳴イメージング装置を提供する。【解決手段】架台１０と、電源部１０１と、受信部１１０と、制御部１０６とを備える。架台１０は、静磁場磁石１０２を有する。電源部１０１は、前記架台１０に設置された各部に電力を供給する。受信部１１０は、被検体から発せられた磁気共鳴信号を受信し、受信した磁気共鳴信号に基づいて磁気共鳴信号データを生成する。制御部１０６は、架台１０に設置された各部の制御を行う。電源部１０１、受信部１１０、及び制御部１０６は、架台１０のいずれか一方の同じ側の側部に設けられる。【選択図】図１
2015100484.tif 000002
【特許請求の範囲】
【請求項１】
静磁場磁石を有する架台と、
前記架台に設置された各部に電力を供給する電源部と、
被検体から発せられた磁気共鳴信号を受信し、受信した磁気共鳴信号に基づいて磁気共鳴信号データを生成する受信部と、
前記架台に設置された各部の制御を行う制御部とを備え、
前記電源部、前記受信部、及び前記制御部は、前記架台のいずれか一方の同じ側の側部に設けられることを特徴とする磁気共鳴イメージング装置。
【請求項２】
前記側部は、前記架台の内部に設置された前記静磁場磁石と、前記架台の側面との間の空間であることを特徴とする請求項１に記載の磁気共鳴イメージング装置。
【請求項３】
前記架台は、寝台が挿入される側の面である前面と、前記前面の反対側の面である後面とを有し、
前記電源部は、前記側部のうち、前記前面よりも前記後面に近い位置に設けられることを特徴とする請求項１又は２に記載の磁気共鳴イメージング装置。
【請求項４】
前記電源部、前記受信部、及び前記制御部のうち少なくとも一つは、前記静磁場磁石の中心軸を通る垂直な面に対して平行に配置されることを特徴とする請求項１〜３のいずれか一つに記載の磁気共鳴イメージング装置。
【請求項５】
前記側部に、前記静磁場磁石を冷却するための冷凍機が更に設けられることを特徴とする請求項１〜４のいずれか一つに記載の磁気共鳴イメージング装置。
【請求項６】
前記側部に設置され、少なくとも前記電源部、前記受信部、及び前記制御部を支持する板部材を更に備えることを特徴とする請求項１〜５のいずれか一つに記載の磁気共鳴イメージング装置。
【請求項７】
前記板部材は、非磁性金属製であることを特徴とする請求項６に記載の磁気共鳴イメージング装置。
【請求項８】
前記板部材は、前記静磁場磁石の中心軸を通る垂直な面に対して平行に配置されることを特徴とする請求項６又は７に記載の磁気共鳴イメージング装置。
【請求項９】
前記板部材は、複数の分割板部材を有することを特徴とする請求項６〜８のいずれか一つに記載の磁気共鳴イメージング装置。
【請求項１０】
前記複数の分割板部材のうちの少なくとも一つは、前記板部材の下端において水平に配置されることを特徴とする請求項９に記載の磁気共鳴イメージング装置。
【請求項１１】
前記架台は、更に、当該架台を据付後に設置可能な機器を複数有し、
複数の前記機器は、前記複数の分割板部材のうちの一つに配置されることを特徴とする請求項９又は１０に記載の磁気共鳴イメージング装置。
【請求項１２】
前記板部材は、当該板部材上に配置された各部を互いに接続するための配線それぞれを、所定の位置で支持する配線支持部材を有することを特徴とする請求項６〜１１のいずれか一つに記載の磁気共鳴イメージング装置。
【請求項１３】
前記板部材は、前記架台の外部から当該板部材上に配置された各部に接続される配線を所定の経路で配置する溝状部材を有することを特徴とする請求項６〜１２のいずれか一つに記載の磁気共鳴イメージング装置。
【請求項１４】
前記板部材は、当該板部材に配置された各部への水の浸潤を防ぐための防水カバーを有することを特徴とする請求項６〜１３のいずれか一つに記載の磁気共鳴イメージング装置。
【請求項１５】
前記架台は、更に、前記静磁場磁石の外周の両側部の下側に、当該架台を運搬するための器具を取り付ける取付部を有し、
前記板部材は、前記側部に取り付けられた場合に、当該板部材の下端が前記取付部の上端よりも上に位置することを特徴とする請求項６〜１４のいずれか一つに記載の磁気共鳴イメージング装置。
【請求項１６】
前記側部において、少なくとも前記板部材の上端から下端までを覆う大きさの第１の架台カバーを備えることを特徴とする請求項１〜１５のいずれか一つに記載の磁気共鳴イメージング装置。
【請求項１７】
前記側部において、少なくとも前記第１の架台カバーの上端から前記静磁場磁石の上端までを覆う大きさの第２の架台カバーを備えることを特徴とする請求項１６に記載の磁気共鳴イメージング装置。
【請求項１８】
前記第１の架台カバーは、当該第１の架台カバーの下端が前記静磁場磁石の方へ湾曲若しくは折れ曲がった形状であることを特徴とする請求項１６又は１７に記載の磁気共鳴イメージング装置。
【請求項１９】
前記架台の前面と、当該架台の後面とを連結し、前記第１の架台カバーを支持する架台カバー支持部を備えることを特徴とする請求項１６〜１８のいずれか一つに記載の磁気共鳴イメージング装置。
【発明の詳細な説明】
【技術分野】
【０００１】
本発明の実施形態は、磁気共鳴イメージング装置に関する。
【背景技術】
【０００２】
磁気共鳴イメージングは、静磁場中に置かれた被検体の原子核スピンを、そのラーモア（Larmor）周波数のＲＦ（Radio  Frequency）パルスで磁気的に励起し、励起に伴い発生する磁気共鳴信号のデータから画像を生成する撮像法である。
【０００３】
この磁気共鳴イメージングは、磁気共鳴イメージング装置（以下、適宜「ＭＲＩ（Magnetic  Resonance  Imaging）装置」）によって行われる。従来、ＭＲＩ装置は、構成要素の種別に応じて、撮影室や機械室、操作室等に分散して設置される。撮影室の壁面にはシールドが施されており、この撮影室には、静磁場磁石、傾斜磁場コイル、ＲＦコイルを有する架台や、寝台が設置される。一方、機械室や操作室には、その他の構成要素が設置される。しかしながら、ＭＲＩ装置の設置環境によっては、機械室等のスペースを十分に確保できない場合もある。
【先行技術文献】
【特許文献】
【０００４】
【特許文献１】ＵＳ２００９／０２５１１４１
【発明の概要】
【発明が解決しようとする課題】
【０００５】
本発明が解決しようとする課題は、省スペース化を実現することができる磁気共鳴イメージング装置を提供することである。
【課題を解決するための手段】
【０００６】
実施形態の磁気共鳴イメージング装置は、架台と、電源部と、受信部と、制御部とを備える。架台は、静磁場磁石を有する。電源部は、前記架台に設置された各部に電力を供給する。受信部は、被検体から発せられた磁気共鳴信号を受信し、受信した磁気共鳴信号に基づいて磁気共鳴信号データを生成する。制御部は、前記架台に設置された各部の制御を行う。前記電源部、前記受信部、及び前記制御部は、前記架台のいずれか一方の同じ側の側部に設けられる。
【図面の簡単な説明】
【０００７】
【図１】図１は、第１の実施形態に係るＭＲＩ装置の構成を示す機能ブロック図である。
【図２】図２は、第１の実施形態に係るＭＲＩ装置における各架台ユニットの配置の一例を示す図である。
【図３】図３は、第１の実施形態に係るＭＲＩ装置における各架台ユニットの配置の一例を示す図である。
【図４】図４は、第１の実施形態に係るシャーシの構成の一例を示す図である。
【図５】図５は、第１の実施形態に係るシャーシの構成の一例を示す図である。
【図６】図６は、第１の実施形態に係るシャーシにおけるケーブルについて説明するための図である。
【図７】図７は、第１の実施形態に係るシャーシの防水カバーについて説明するための図である。
【図８】図８は、第１の実施形態に係るシャーシの防水カバーについて説明するための図である。
【図９】図９は、第１の実施形態に係る架台の一体出荷について説明するための図である。
【図１０】図１０は、第１の実施形態に係る架台カバーの構成を説明するための図である。
【発明を実施するための形態】
【０００８】
以下、図面を参照して、各実施形態に係る磁気共鳴イメージング装置（以下、適宜「ＭＲＩ（Magnetic  Resonance  Imaging）装置」）を説明する。
【０００９】
（第１の実施形態）
図１は、第１の実施形態に係るＭＲＩ装置１００の構成を示す機能ブロック図である。図１に示すように、ＭＲＩ装置１００は、電源部１０１と、静磁場磁石１０２と、傾斜磁場コイル１０３と、傾斜磁場電源１０４と、寝台１０５と、制御部１０６と、送信コイル１０７と、送信部１０８と、受信コイル１０９と、受信部１１０と、シーケンス制御部１２０と、計算機１３０とを備える。なお、ＭＲＩ装置１００に、被検体Ｐ（例えば、人体）は含まれない。
【００１０】
ＭＲＩ装置１００の構成要素のうち、電源部１０１、静磁場磁石１０２、傾斜磁場コイル１０３、制御部１０６、送信コイル１０７、受信部１１０は、ＭＲＩ装置１００の架台１０に設置される。なお、図１に示す構成は一例に過ぎない。
【００１１】
電源部１０１は、架台１０に設置された各部（構成要素）に電力を供給する。例えば、電源部１０１は、架台１０の外部から供給されるＤＣ電圧を所定の大きさのＤＣ電圧に変換して、制御部１０６及び受信部１１０に供給する。なお、電源部１０１は、架台１０の外部から供給されるＤＣ電圧を所定の大きさのＤＣ電圧に変換して、各構成要素に供給するものでも良い。また、電源部１０１は、架台１０の操作パネル、送風機、投光器等に電源を供給しても良い。なお、例えば、傾斜磁場コイル１０３のように、個別に電力が供給される構成要素に対しては、電源部１０１は、電力を供給しなくても良い。
【００１２】
静磁場磁石１０２は、撮像空間に静磁場を発生させる。例えば、静磁場磁石１０２は、中空の円筒形状に形成された磁石であり、内部の撮像空間に静磁場を発生させる。この静磁場磁石１０２としては、例えば、超伝導磁石が使用される。なお、静磁場磁石１０２としては、永久磁石が使用されても良い。
【００１３】
傾斜磁場コイル１０３は、中空の円筒形状に形成されたコイルであり、静磁場磁石１０２の内側に配置される。傾斜磁場コイル１０３は、互いに直交するｘ、ｙ、及びｚの各軸に対応する３つのコイルが組み合わされて形成されており、これら３つのコイルは、傾斜磁場電源１０４から個別に電流の供給を受けて、ｘ、ｙ、及びｚの各軸に沿って磁場強度が変化する傾斜磁場を発生する。傾斜磁場コイル１０３によって発生するｘ、ｙ、及びｚの各軸の傾斜磁場は、例えば、スライスエンコード傾斜磁場ＧSE（若しくはスライス選択傾斜磁場ＧSS）、位相エンコード傾斜磁場ＧPE、及び読み出し傾斜磁場ＧROである。傾斜磁場電源１０４は、傾斜磁場コイル１０３に電流を供給する。
【００１４】
寝台１０５は、被検体Ｐが載置される天板１０５ａを備え、制御部１０６による制御の下、天板１０５ａを、被検体Ｐが載置された状態で、傾斜磁場コイル１０３の空洞（撮像口）内へ挿入する。通常、寝台１０５は、長手方向が静磁場磁石１０２の中心軸と平行になるように設置される。
【００１５】
制御部１０６は、架台１０に設置された各構成要素の制御を行う。例えば、制御部１０６は、各構成要素の制御を行うための各種の部品が搭載された基板を有する。例えば、制御部１０６は、計算機１３０による制御の下、寝台１０５を駆動して天板１０５ａを長手方向及び上下方向へ移動する。また、制御部１０６は、送風機、投光器等の制御を行う。また、制御部１０６は、架台１０の操作パネルにて入力された指示に応じて、各構成要素の制御を行っても良い。なお、例えば、送信コイル１０７、受信コイル１０９等のように、制御部１０６とは異なる処理部によって個別に制御される構成要素に対しては、制御部１０６は、制御を行わなくても良い。
【００１６】
送信コイル１０７は、傾斜磁場コイル１０３の内側に配置され、送信部１０８からＲＦパルスの供給を受けて、高周波磁場を発生する。送信部１０８は、対象とする原子の種類及び磁場強度で定まるラーモア周波数に対応するＲＦパルスを送信コイル１０７に供給する。
【００１７】
受信コイル１０９は、高周波磁場の影響によって被検体Ｐから発せられる磁気共鳴信号（以下、適宜「ＭＲ信号」）を受信する。受信コイル１０９は、ＭＲ信号を受信すると、受信したＭＲ信号を受信部１１０へ出力する。
【００１８】
なお、上述した送信コイル１０７及び受信コイル１０９は一例に過ぎない。送信機能のみを備えたコイル、受信機能のみを備えたコイル、若しくは送受信機能を備えたコイルのうち、１つ若しくは複数を組み合わせることによって構成されればよい。
【００１９】
受信部１１０は、受信コイル１０９から出力されるＭＲ信号を検出し、検出したＭＲ信号に基づいて磁気共鳴信号データ（以下、適宜「ＭＲ信号データ」）を生成する。例えば、受信部１１０は、前段増幅器、位相検波器、アナログデジタル変換器などが搭載された基板を有する。前段増幅器は、受信コイル１０９から出力されるＭＲ信号を増幅する。位相検波器は、前段増幅器から出力されるＭＲ信号の位相を検波する。アナログデジタル変換器は、位相検波器から出力されるアナログ信号をデジタル信号に変換することで、ＭＲ信号データを生成する。
【００２０】
シーケンス制御部１２０は、計算機１３０から送信されるシーケンス情報に基づいて、電源部１０１、送信部１０８及び受信部１１０を駆動することによって、被検体Ｐの撮像を行う。ここで、シーケンス情報は、撮像を行うための手順を定義した情報である。シーケンス情報には、傾斜磁場コイル１０３に供給する電流の強さや電流を供給するタイミング、送信部１０８が送信コイル１０７に供給するＲＦパルスの強さやＲＦパルスを印加するタイミング、受信部１１０がＭＲ信号を検出するタイミング等が定義される。例えば、シーケンス制御部１２０は、ＡＳＩＣ（Application  Specific  Integrated  Circuit）、ＦＰＧＡ（Field  Programmable  Gate  Array）等の集積回路、ＣＰＵ（Central  Processing  Unit）、ＭＰＵ（Micro  Processing  Unit）等の電子回路である。
【００２１】
また、シーケンス制御部１２０は、電源部１０１、送信部１０８及び受信部１１０を制御して被検体Ｐを撮像した結果、受信部１１０からＭＲ信号データを受信すると、受信したＭＲ信号データを計算機１３０へ転送する。
【００２２】
計算機１３０は、ＭＲＩ装置１００の全体制御や、ＭＲ画像の生成等を行う。例えば、計算機１３０は、操作者から入力される撮像条件に基づいてシーケンス制御部１２０に撮像シーケンスを実行させる。また、計算機１３０は、シーケンス制御部１２０から送信されたＭＲ信号データに基づいて画像を再構成する。計算機１３０は、再構成された画像を記憶部に格納したり、表示部に表示したりする。なお、計算機１３０は、例えば、コンピュータ等の情報処理装置である。
【００２３】
なお、架台１０とは、一般的には、静磁場磁石１０２、傾斜磁場コイル１０３、送信コイル１０７が架台カバー１１によって覆われた構造物を指す。第１の実施形態においては、架台１０には、省スペース化を実現するために、少なくとも電源部１０１、制御部１０６、受信部１１０が設置される。また、架台１０には、図１に示した構成以外にも、例えば、静磁場磁石１０２を冷却するための冷凍機、傾斜磁場コイル１０３を水冷するためのクーリングユニット、心電同期スキャンを行うためのＥＣＧ（Electrocardiogram）同期ユニット、寝台１０５を駆動するためのモータードライバ等が適宜設置される。以下においては、架台１０内に設置される電源部１０１、制御部１０６、受信部１１０、冷凍機、クーリングユニット、ＥＣＧ同期ユニット、モータードライバ等を区別無く総称する場合に、「架台ユニット」と表記する。
【００２４】
ところで、各架台ユニットは、メンテナンス（点検、修理、交換等）を要する場合がある。この場合、メンテナンスを行う作業員は、架台１０の表面を覆う架台カバー１１を一部取り外し、各架台ユニットにアクセスして（作業可能な程度に近接して）、作業を行う。
【００２５】
そこで、第１の実施形態に係るＭＲＩ装置１００において、各架台ユニットは、架台１０のいずれか一方の同じ側の側部に設けられる。ここで、側部とは、後に図示して説明するが、静磁場磁石１０２と、架台１０の側面との間の空間を指す。したがって、作業員は、例えば、架台ユニットが設けられた側部を覆う架台カバー１１を取り外すだけで、各架台ユニットにアクセスできる。このため、ＭＲＩ装置１００は、各架台ユニットを容易にメンテナンスすることが可能となる。また、一般的には、架台１０の側部には作業員が作業するための作業スペースが設けられるが、架台ユニットが設けられなかった側部については、作業スペースを設ける必要がない。このため、ＭＲＩ装置１００は、更なる省スペース化を実現することができる。
【００２６】
以下、各架台ユニットの配置について説明する。なお、第１の実施形態においては、架台ユニットとは、ＭＲＩ装置１００の構成要素のうち架台１０内に設置されるものであって、メンテナンスを要するものを言う。
【００２７】
（ＭＲＩ装置１００における各架台ユニットの配置）
図２及び図３は、第１の実施形態に係るＭＲＩ装置１００における各架台ユニットの配置の一例を示す図である。図２には、各架台ユニットの配置を明示するために、各架台ユニットと、架台カバーの一部とを架台１０から切り離した分解図を示す。図３には、架台１０を前側から見た断面図を示す。
【００２８】
図２及び図３に示すように、架台１０は、静磁場磁石１０２、傾斜磁場コイル１０３、送信コイル１０７が架台カバー１１によって覆われた構造である。ここで、架台１０における位置又は方向を示す場合には、静磁場磁石１０２の位置を基準にして、寝台１０５が置かれる側を前側と定義し、その反対側を後側と定義する。また、静磁場磁石１０２の中心軸を基準にして、中心軸より右を右側と定義し、中心軸より左を左側と定義し、中心軸より上を上側と定義し、中心軸より下を下側と定義する。
【００２９】
また、第１の実施形態においては、静磁場磁石１０２と、架台１０の側面（図２の架台カバー１１Ａ，１１Ｂに対応）との間の空間を「側部」と称する。図２及び図３に示す例では、側部は、架台１０の左右両側に存在するが、各架台ユニットが設けられるのは架台１０の左側部である。
【００３０】
例えば、電源部１０１、制御部１０６、及び受信部１１０の各架台ユニットは、架台１０の左側部に設置される。これにより、作業員は、例えば、左側部を覆う架台カバー１１Ａを取り外すだけで、各架台ユニットにアクセスできる。
【００３１】
また、例えば、電源部１０１は、架台１０の左側部のうち後側に設置される（図２）。これは、電源部１０１は、架台１０の外部から供給されるＤＣ電圧を増幅して各架台ユニットに供給するために、架台１０においてケーブルの起点（ターミナル）となる位置に設置されるのが好ましいからである。一般的には、外部から接続されるケーブルは、天井若しくは床面を這わせられ、架台１０の後側に接続される。このため、電源部１０１は、架台１０の左側部のうち後側（寝台１０５から離れた位置）に配置される。これにより、電源部１０１は、ケーブルの起点となる位置から各架台ユニットに電力を供給することができる。
【００３２】
また、電源部１０１、制御部１０６、及び受信部１１０の各架台ユニットは、静磁場磁石１０２の中心軸を通る垂直な面（ｙｚ平面）に対して平行に配置される（図２及び図３）。これにより、作業員は、架台１０の左側からアクセスすることで、静磁場磁石１０２に設置された各架台ユニットと向かい合うことができるので、各架台ユニットを容易にメンテナンスすることができる。
【００３３】
冷凍機１１１は、静磁場磁石１０２の超伝導コイルが浸漬された冷媒を冷却する。例えば、冷凍機１１１は、左側部の上側に設置される。これにより、作業員は、他の架台ユニットと同じ方向から冷凍機１１１にアクセスすることができる。
【００３４】
架台カバー１１は、静磁場磁石１０２の周囲に着脱可能に設けられる。また、架台カバー１１は、複数の部分カバーを有する。例えば、架台カバー１１は、左側の表面のうちシャーシ２０に対応する部分を覆う部分カバー１１Ａと、左側の表面のうち冷凍機１１１に対応する部分を覆う部分カバー１１Ｂと、上側の表面のうち冷凍機１１１に対応する部分を覆う部分カバー１１Ｃとを有する。なお、架台カバー１１の詳細については、後述する。
【００３５】
シャーシ２０は、架台１０の左側部に設置される。例えば、シャーシ２０は、シャーシ２０を支持する支持部材２３によって、静磁場磁石１０２の外周側面に取り付けられる。また、シャーシ２０は、電源部１０１、制御部１０６、受信部１１０等の各架台ユニットを支持する。なお、シャーシ２０は、板部材の一例である。また、シャーシ２０の詳細については、後述する。
【００３６】
なお、図１では、電源部１０１、制御部１０６、及び受信部１１０等の各架台ユニットが架台１０の左側部に設けられる場合を説明したが、実施形態はこれに限定されるものではない。例えば、各架台ユニットが架台１０の左側部に備えられても良い。すなわち、各架台ユニットは、架台１０のいずれか一方の同じ側の側部に設けられれば良い。また、冷凍機１１１は、架台１０のいずれか一方の側部に限らず、静磁場磁石１０２の上側の中央に配置されていても良い。また、電源部１０１、制御部１０６、及び受信部１１０は、必ずしもｙｚ平面に対して平行に配置されていなくても良く、作業員によるメンテナンス効率が大幅に低下しない範囲内で傾いていても良い。
【００３７】
（シャーシ２０の構成）
図４及び図５は、第１の実施形態に係るシャーシ２０の構成の一例を示す図である。図４には、シャーシ２０の斜視図を示す。図５には、シャーシ２０を架台１０の前側から見た図を示す。
【００３８】
図４及び図５に示すように、シャーシ２０は、架台１０の左側部において、静磁場磁石１０２の外周側面に着脱可能に取り付けられる。また、シャーシ２０には、電源部１０１、制御部１０６、受信部１１０等の各架台ユニットが設置される。これにより、作業員は、架台１０から各架台ユニットを容易に取り外すことができる。例えば、メンテナンスを行う場合、作業員は、シャーシ２０を静磁場磁石１０２から取り外すことで、架台１０の大半の架台ユニットを一挙に取り外すことができる。
【００３９】
また、シャーシ２０は、分割シャーシ２０Ａ，２０Ｂ，２０Ｃを有する。例えば、シャーシ２０は、各分割シャーシ２０Ａ，２０Ｂ，２０Ｃを互いに組み合わせて固定することで構成される。具体的には、シャーシ２０は、架台１０の前側から見た場合に、Ｌ字型構造となるように、各分割シャーシ２０Ａ，２０Ｂ，２０Ｃによって構成される（図３及び図５）。各分割シャーシ２０Ａ，２０Ｂ，２０Ｃは、非磁性金属で作製される。例えば、各分割シャーシ２０Ａ，２０Ｂ，２０Ｃは、アルミ板で作製される。なお、各分割シャーシ２０Ａ，２０Ｂ，２０Ｃは、分割板部材の一例である。
【００４０】
例えば、分割シャーシ２０Ａ及び２０Ｂは、ｙｚ平面に対して平行に設置される。これにより、分割シャーシ２０Ａ及び２０Ｂは、ｙｚ平面に対して平行な設置面を提供する。図４に示す例では、分割シャーシ２０Ａに電源部１０１及び受信部１１０が設置され、分割シャーシ２０Ｂに制御部１０６が設置される。
【００４１】
また、例えば、分割シャーシ２０Ｃは、シャーシ２０の下端において水平に配置される。具体的には、分割シャーシ２０Ｃは、シャーシ２０の下端から静磁場磁石１０２の外周面に向かって水平方向に配置される。言い換えると、分割シャーシ２０Ｃは、Ｌ字型構造の底面を構成するように配置される。これにより、分割シャーシ２０Ｃは、水平な設置面を提供し、シャーシ２０と静磁場磁石１０２の外周面との間の領域２４を有効に活用することができる（図３及び図５）。図５に示す例では、領域２４に、クーリングユニット、ＥＣＧ同期ユニット、モータードライバ等が設置される。
【００４２】
また、分割シャーシ２０Ｃには、架台１０を据付後に設置可能な機器が配置される。このような機器の一例としては、クーリングユニット、ＥＣＧ同期ユニット等が挙げられる。言い換えると、これらの機器は、分割シャーシ２０Ｃに配置され、他の分割シャーシ２０Ａ，２０Ｂには配置されない。これにより、これらの機器が据付後に設置される場合、作業員は、設置予定の機器の全てを分割シャーシ２０Ｃに設置すれば良いので、容易に作業を行うことができる。また、作業が容易なので、作業員による設置ミスを防止することができる。
【００４３】
なお、ここでは、シャーシ２０に各架台ユニットが設置される場合を説明したが、実施形態は、これに限定されるものではない。例えば、架台１０の架台ユニットのうちメンテナンスの頻度が低い架台ユニットについては、必ずしもシャーシ２０に設置されなくても良い。言い換えると、シャーシ２０には、メンテナンスの頻度が高い架台ユニットを設置しておくことで、十分容易にメンテナンスを行うことができる。具体的には、シャーシ２０には、少なくとも電源部１０１、制御部１０６、受信部１１０の３つの架台ユニットが設置されることが好ましい。
【００４４】
また、ここでは、シャーシ２０が３つの分割シャーシ２０Ａ，２０Ｂ，２０Ｃによって構成される場合を説明したが、実施形態はこれに限定されるものではない。例えば、シャーシ２０は、１枚で構成されても良いし、任意の枚数で構成されても良い。
【００４５】
また、上記の例では、分割シャーシ２０Ａに電源部１０１及び受信部１１０が配置され、分割シャーシ２０Ｂに制御部１０６が配置される場合を説明したが、実施形態はこれに限定されるものではない。例えば、分割シャーシ２０Ａに電源部１０１及び制御部１０６が配置され、分割シャーシ２０Ｂに受信部１１０が配置されても良い。また、分割シャーシ２０Ｂに電源部１０１が配置され、分割シャーシ２０Ａに制御部１０６及び受信部１１０が配置されても良い。この場合、ケーブルは床面から這わせるのが好ましい。
【００４６】
図６は、第１の実施形態に係るシャーシ２０におけるケーブルについて説明するための図である。図６には、シャーシ２０を架台１０の左側から見た図を示す。
【００４７】
図６に示すように、シャーシ２０は、シャーシ２０上に配置された各架台ユニットを互いに接続するためのケーブル（配線）それぞれを、所定の位置で支持する配線支持部材２５を有する。例えば、各配線支持部材２５は、シャーシ２０上の予め規定された位置に配置されている。また、各配線支持部材２５は、各配線支持部材２５によって支持されるケーブルが予め規定されている。具体的には、各配線支持部材２５は、予め規定されたケーブルの形状に対応する形状を有する。これにより、作業員は、各ケーブルを、そのケーブルの形状に対応する形状の配線支持部材２５に支持させることで、各ケーブルを容易に接続することができる。
【００４８】
なお、ここでは、ケーブルと配線支持部材２５との対応関係が形状によって規定される場合を説明したが、実施形態はこれに限定されるものではない。例えば、この対応関係は、識別番号によって規定され、この識別番号が対応するケーブル及び配線支持部材２５に予め表示されていても良い。また、例えば、対応関係は、色によって規定され、ケーブル及び配線支持部材２５が規定された色で色分けされていても良い。また、対応関係は、形状、識別番号、色の組み合わせによって規定されても良い。
【００４９】
また、シャーシ２０は、架台１０の外部からシャーシ２０上に配置された各架台ユニットに接続されるケーブルを所定の経路で配置するダクト２６を有する（図４〜図６）。例えば、ダクト２６は、シャーシ２０のうち、架台１０の後側に配置される。これは、上述したように、外部から接続されるケーブルは、一般的には、天井若しくは床面を這わせられ、架台１０の後側に接続されるからである。なお、ダクト２６は、溝状部材の一例である。
【００５０】
また、ダクト２６は、シャーシ２０の上端部で分割可能に構成される。すなわち、ダクト２６は、シャーシ２０側に固定される部分ダクト２６Ａと、静磁場磁石１０２側に固定される部分ダクト２６Ｂとに分割される。これにより、作業員は、シャーシ２０上のケーブルが接続されたままのシャーシ２０を容易に取り外すことができる。具体的には、作業員は、まず、ダクト２６からシャーシ２０へ繋がっているケーブルのみをシャーシ２０から取り外す。そして、作業員は、部分ダクト２６Ａと、部分ダクト２６Ｂとを切り離す。そして、作業員は、部分ダクト２６Ａが固定されたままのシャーシ２０を静磁場磁石１０２から取り外すことで、シャーシ２０上のケーブルが接続されたままのシャーシ２０を容易に取り外すことができる。
【００５１】
図７及び図８は、第１の実施形態に係るシャーシ２０の防水カバーについて説明するための図である。図７には、シャーシ２０を架台１０の前側から見た断面図を示す。図８には、シャーシ２０を架台１０の左側から見た図を示す。
【００５２】
図７及び図８に示すように、シャーシ２０は、シャーシ２０に配置された各架台ユニットへの水の浸潤を防ぐために、シャーシカバー２０Ｅ，２０Ｆ，２１，２２を有する。シャーシカバー２０Ｅ，２０Ｆ，２１，２２は、防水カバーの一例である。
【００５３】
例えば、シャーシカバー２０Ｅは、分割シャーシ２０Ａの一部として、シャーシ２０の上端に成形される。シャーシカバー２０Ｅは、シャーシ２０上の各架台ユニットの厚みに対して十分な大きさ（例えば、図７においては左右方向の幅）を有する。また、シャーシカバー２０Ｅは、所定の傾きを有する。具体的には、シャーシカバー２０Ｅは、シャーシカバー２０Ｅのうち静磁場磁石１０２に近い側の端部が高い位置となり、静磁場磁石１０２から遠い側の端部が低い位置となるように、傾けられている。
【００５４】
例えば、シャーシカバー２０Ｆは、分割シャーシ２０Ａの一部として、シャーシ２０の両端に成形される（図８）。シャーシカバー２０Ｆは、シャーシ２０上の各架台ユニットの厚みに対して十分な大きさ（例えば、図７においては左右方向の幅）を有する。また、シャーシカバー２０Ｆは、シャーシカバー２０Ｅの端部からシャーシ２０上の架台ユニットに近づく方向にずれた位置に配置される（図８の矢印Ｂの位置を参照）。
【００５５】
また、シャーシカバー２１は、分割シャーシ２０Ａに配置される架台ユニットを覆うのに十分な大きさ（例えば、図７においては上下方向の高さ）を有する（図２，図７）。また、シャーシカバー２１は、シャーシカバー２０Ｅの内側に、ｙｚ平面と平行に配置される。具体的には、シャーシカバー２１は、シャーシカバー２０Ｅの下端からシャーシ２０上の架台ユニットに近づく方向にずれた位置に配置される（図７の矢印Ａの位置を参照）。
【００５６】
また、シャーシカバー２２は、分割シャーシ２０Ｂに配置される架台ユニットを覆うのに十分な大きさを有する（図２）。また、シャーシカバー２２は、シャーシカバー２１の内側に、ｙｚ平面と平行に配置される。具体的には、シャーシカバー２１は、シャーシカバー２１の位置からシャーシ２０上の架台ユニットに近づく方向にずれた位置に配置される。
【００５７】
これにより、シャーシカバー２０Ｅ，２０Ｆ，２１，２２は、シャーシ２０の上方から水が浸潤する場合に、各架台ユニットへの水の浸潤を防ぐことができる。
【００５８】
なお、図７では、シャーシカバー２０Ｅ及びシャーシカバー２１が接触しているように図示したが、これに限定されるものではなく、多少の隙間を有していても良い。また、図８では、シャーシカバー２０Ｅ及びシャーシカバー２０Ｆが接触しているように図示したが、これに限定されるものではなく、多少の隙間を有していても良い。
【００５９】
図９は、第１の実施形態に係る架台１０の一体出荷について説明するための図である。図９には、出荷時の架台１０の斜視図を示す。
【００６０】
図９に示すように、架台１０は、静磁場磁石１０２の外周の両側面の下側に、架台１０を運搬するための器具を取り付ける取付部３０を有する。例えば、取付部３０は、静磁場磁石１０２を支持するとともに、架台１０を運搬するための器具を取り付け可能な構成（例えば、突起や穴等）を有する。
【００６１】
シャーシ２０は、静磁場磁石１０２の外周側面に取り付けられた場合に、シャーシ２０の下端が取付部３０の上端よりも上に位置する。例えば、シャーシ２０の高さは、冷凍機１１１の下端から取付部３０の上端までの距離以下である。これにより、シャーシ２０は、静磁場磁石１０２の外周側面に取り付けられた場合においても、架台１０を運搬するための器具が取付部３０に取り付けられるのを阻害しないので、シャーシ２０及び静磁場磁石１０２の一体出荷が可能となる。
【００６２】
（架台カバー１１の構成）
図１０は、第１の実施形態に係る架台カバー１１の構成を説明するための図である。図１０には、架台カバー１１Ａを取り外した架台１０の斜視図を示す。
【００６３】
図１１に示すように、架台カバー１１Ａは、架台１０の左側部において、少なくともシャーシ２０の上端から下端までを覆う大きさを有する。例えば、架台カバー１１Ａは、架台１０の左側部において、シャーシ２０の上端から床面に接する位置までを覆う大きさを有する。
【００６４】
また、架台カバー１１Ａは、架台カバー１１Ａの下端が静磁場磁石１０２の方へ湾曲若しくは折れ曲がった形状である。図１１に示す例では、架台カバー１１Ａは、架台カバー１１Ａの下端から数十ｃｍの範囲が内側へ数十ｃｍ程度湾曲している。これにより、ＭＲＩ装置１００は、作業員が作業する場合の足下のスペースを広くすることができる。
【００６５】
また、架台１０は、フレーム４０を有する。フレーム４０は、架台１０の前面と、架台１０の後面とを連結し、架台カバー１１Ａを支持する。例えば、フレーム４０の両端は、架台１０の前側及び後側の架台カバー１１の内側に引っかかるための構造を有する（図１０の矢印Ｃの位置を参照）。また、架台１０の前側及び後側の架台カバー１１の下端には、架台１０の左端から数十ｃｍ程度内側に、フレーム４０の端を引っかけるための構造を有する。そして、これらの構造を利用して、架台１０の前側及び後側の架台カバー１１の下端にフレーム４０の両端をそれぞれ引っかけることで、フレーム４０は、架台１０の前側の架台カバー１１と、架台１０の後側の架台カバー１１とを連結する。また、フレーム４０は、架台カバー１１Ａが架台１０に取り付けられると、架台カバー１１Ａの湾曲した下端に接触することで、架台カバー１１Ａを支持する。このとき、架台カバー１１Ａの重量は、架台１０の前側の架台カバー１１と、架台１０の後側の架台カバー１１とに分散されるので、フレーム４０は、効率良く架台カバー１１Ａを支持することができる。
【００６６】
また、架台カバー１１Ｂは、架台１０の左側部において、少なくともシャーシ２０の上端から静磁場磁石１０２の上端までを覆う大きさを有する。例えば、架台カバー１１Ｂは、架台１０の左側部において、シャーシ２０の上端から架台１０の上面の位置までを覆う大きさを有する。これにより、作業員は、冷凍機１１１のメンテナンスを行う場合に、必要以上に架台カバー１１を取り外すことなく作業を行うことができる。
【００６７】
このように、第１の実施形態に係るＭＲＩ装置１００は、電源部１０１、制御部１０６、及び受信部１１０等の各架台ユニットを、架台１０のいずれか一方の側部に有する。したがって、作業員は、例えば、架台ユニットが設けられた側部を覆う架台カバー１１を取り外すだけで、各架台ユニットにアクセスできる。このため、ＭＲＩ装置１００は、各架台ユニットを容易にメンテナンスすることが可能となる。また、一般的には、架台１０の側部には作業員が作業するための作業スペースが設けられるが、架台ユニットが設けられなかった側部については、作業スペースを設ける必要がない。このため、ＭＲＩ装置１００は、更なる省スペース化を実現することができる。
【００６８】
なお、上述した実施形態においては、円筒形状の空洞（撮像口）を有するトンネル型のＭＲＩ装置１００を想定して説明したが、実施形態はこれに限定されるものではない。上述した実施形態は、例えば、オープン型のＭＲＩ装置にも、同様に適用することができる。
【００６９】
以上説明した少なくともひとつの実施形態によれば、省スペース化を実現することができる。
【００７０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７１】
１００      ＭＲＩ装置
１０      架台
１０２      静磁場磁石
１０６      制御部
１１０      受信部
【図１】
2015100484.tif 000003
【図２】
2015100484.tif 000004
【図３】
2015100484.tif 000005
【図４】
2015100484.tif 000006
【図５】
2015100484.tif 000007
【図６】
2015100484.tif 000008
【図７】
2015100484.tif 000009
【図８】
2015100484.tif 000010
【図９】
2015100484.tif 000011
【図１０】
2015100484.tif 000012